(57)【要約】【課題】画像の読み取りと露光とを単一の光源で行え、装置を小型化し、且つ安価にできる画像処理装置及び画像処理方法を提供する。【解決手段】画像処理装置１０は、筐体１１内に単一の光源ユニット１０２と、フィルム画像を読み取るスキャナユニット１０１と、このスキャナユニット１０１で読み取られた画像を印画紙などの感光材料に露光する露光ユニット２０１とを備える。光源ユニット１０２から発光した光はハーフミラー１２１を反射する第１の光Ｂ１とハーフミラー１２１を透過する第２の光Ｂ２に分岐される。ハーフミラー１２１で反射した第１の光Ｂ１はスキャナユニット１０１に導かれる。一方、ハーフミラー１２１を透過した第２の光Ｂ２は露光ユニット２０１に導かれる。【選択図】　　　図１
2004061657.tif 000002
【特許請求の範囲】
【請求項１】
光源を発光させてフィルム画像を読み取り、当該読み取った画像を感光材料に露光する画像処理装置であって、
前記画像を読み取るための光源と前記読み取った画像を感光材料に露光するための光源とを共通化したことを特徴とする画像処理装置。
【請求項２】
前記光源の光はハーフミラーにより第１の光と第２の光に分岐され、前記第１の光は反射ミラーを介して前記画像を読み取るための画像読み取り手段に導かれ、前記第２の光は前記読み取った画像を感光材料に露光するための露光手段に導かれることを特徴とする請求項１に記載の画像処理装置。
【請求項３】
前記第１の光は、前記ハーフミラーで分岐された後、光ファイバー部材を介して前記画像読み取り手段に導かれることを特徴とする請求項２に記載の画像処理装置。
【請求項４】
前記第１の光は、前記ハーフミラーで分岐された後、複数の凸レンズと凹レンズから構成されるレンズ群を介して前記画像読み取り手段に導かれることを特徴とする請求項２に記載の画像処理装置。
【請求項５】
前記画像読み取り手段は、前記第１の光を拡散させて前記フィルムに均一に当てる拡散部と、前記フィルムを透過した画像をズームレンズを介して取り込む撮像部とを有し、
前記露光手段は、前記第２の光を少なくとも３色に分解するフィルタと、前記分解された各色ごとの光を用いて前記撮像部により取り込まれた画像を映し出す画像表示部と、当該映し出された画像をズームレンズを介して前記感光材料に露光する露光部とを有することを特徴とする請求項１乃至４のいずれか１項に記載の画像処理装置。
【請求項６】
前記光ファイバー部材は、複数の光ファイバーの束からなり、前記第１の光を前記拡散部に導くために当該拡散部の口径に合わせて束が拡径されていることを特徴とする請求項５に記載の画像処理装置。
【請求項７】
前記フィルタは各色ごとのフィルタが同一面上に所定間隔で円盤状に配列され部材で形成され、各色のフィルタへの切り換えを回転により行う単一の駆動手段を備えることを特徴とする請求項５に記載の画像処理装置。
【請求項８】
光源を発光させてフィルム画像を読み取り、当該読み取った画像を感光材料に露光する画像処理方法であって、
前記画像の読み取りと前記読み取った画像の感光材料への露光とを共通の光源により行うことを特徴とする画像処理方法。
【発明の詳細な説明】
【０００１】
【発明の属する技術分野】
本発明は、光源を発光させてフィルム画像を読み取り、当該読み取った画像を光源の光を用いて印画紙などの感光材料に露光する画像処理装置及び画像処理方法に関する。
【０００２】
【従来の技術】
図５は、従来のスキャナ装置と露光装置とが別体にされた構成を例示する概略図であり、従来の画像処理装置は、光源３０２（ランプ光源やＬＥＤ白色光源）を発光させてフィルム３０６の画像をＣＣＤなどの撮像部３０３により読み取るスキャナ装置３０１と、前記スキャナ装置３０１により読み取られたフィルム３０６の画像をＬＣＤなどの画像表示部４０４に映し出し、前記光源３０２とは別に設けられた光源４０２（ランプ光源やＬＥＤ白色光源）を発光させて前記読み取った画像を感光材料に露光するための露光装置４０１と備える。
【０００３】
詳しくは、上記スキャナ装置３０１は、上記光源３０２の光を拡散させてフィルム３０６に均一に当てる拡散部３０５を有し、撮像部３０３は、フィルム３０６を透過した光をズームレンズ３０４を介して受光し、ＣＣＤなどで光電変換してデジタル画像データとして取り込む。
【０００４】
また、露光装置４０１は、上記光源４０２の光をＲ（レッド）、Ｇ（グリーン）、Ｂ（ブルー）の少なくとも３色に分解する各色ごとのフィルタ４０３と、上記３色に分解された光を拡散させて画像表示部４０４に均一に当てる拡散部４１２と、前記３色に分解された各色ごとの光を用いて前記撮像部３０３により取り込まれたデジタル画像データを映し出す画像表示部４０４とを有し、当該画像表示部４０４に映し出された画像をズームレンズ４０５を介して印画紙などの感光材料４０６に露光する。
【０００５】
また、上記露光装置４０１は、長尺の感光材料４０６をロール状に遮光して収納するペーパマガジン４０７と、このペーパマガジン４０７から上記感光材料４０６を露光台４０８に送り出すローラや当該ローラの駆動モータなどからなる感光材料送り機構４０９と、この感光材料送り機構４０９により搬送台４０８に送り出された感光材料４０６を所定長さで裁断するカッター４１０と、露光台４０８で露光（焼き付け）された感光材料４０６を不図示の現像処理装置に搬送する搬送装置４１１と備える。
【０００６】
上記スキャナ装置３０１と露光装置４０１とは夫々独立した装置を構成しており、両装置３０１，４０１がネットワーク回線や電源ケーブルなどの接続ケーブル５０１を介して電気的に接続されている。上記スキャナ装置３０１により読み取られたフィルム３０６のデジタル画像データはこの接続ケーブル５０１を介して露光装置４０１に送信される。
【０００７】
尚、上記光源３０２、４０２としてランプ光源やＬＥＤ白色光源の他に、レーザ光源や白色以外のＬＥＤ光源が用いられ、また、上記ＬＣＤの他にＣＲＴなども用いられる。
【０００８】
上記従来の画像処理装置に関連して、特開２００１−１８３８０２公報や特開２００１−３０７０８４公報には、図５のようにスキャナ装置と露光装置とが別体で各装置ごとに光源が設けられている構成が開示されている。
【０００９】
【発明が解決しようとする課題】
しかしながら、上記従来の構成ではスキャナ装置と露光装置とは筐体が別であるために、光源とレンズを用いてフィルム画像を感光材料に直接焼き付ける従来のアナログ式の写真焼き付け装置のように省スペース化は困難であり、また、各々の筐体が離れて設置されている場合には画像の読み取りと露光とを離れたところで行うため作業性が悪く、長い接続ケーブルなども必要となる。
【００１０】
更に、光源としてレーザ光源を用いる場合には、高価であると同時に調整が難しいという欠点がある。
【００１１】
上述した理由から、スキャナ装置と露光装置とはネットワーク型のプリント装置として使う以外は、一体的に構成した方が使い勝手が良いと考えられる。
【００１２】
図６は従来のスキャナ装置と露光装置とを一体化した構成を例示する概略図であり、図５と同一の機能を有する要素には同一の番号を付して示している。
【００１３】
図６に示すようにスキャナ装置と露光装置とを同じ筐体５０２内に設けた場合、小型化や省スペース化は図れるものの、両装置が互いに干渉しないように配置することが難しく、また、一体化できたとしても従来のアナログ式の写真焼き付け装置に比べると大きくなってしまう。
【００１４】
また、フィルムを挿入する部分は作業者の利便性を良くするために筐体の前面に設ける必要があるが、図６の構成では露光装置の光源が邪魔になる。
【００１５】
本発明は、上記課題に鑑みてなされ、その目的は、画像の読み取りと露光とを単一の光源で行え、装置を小型化し、且つ安価にできる画像処理装置及び画像処理方法を提供することである。
【００１６】
【課題を解決するための手段】
上述の課題を解決し、目的を達成するために、本発明の画像処理装置は、光源を発光させてフィルム画像を読み取り、当該読み取った画像を感光材料に露光する画像処理装置であって、前記画像を読み取るための光源と前記読み取った画像を感光材料に露光するための光源とを共通化した。
【００１７】
また、本発明の画像処理方法は、光源を発光させてフィルム画像を読み取り、当該読み取った画像を感光材料に露光する画像処理方法であって、前記画像の読み取りと前記読み取った画像の感光材料への露光とを共通の光源により行う。
【００１８】
また、好ましくは、前記光源の光はハーフミラーにより第１の光と第２の光に分岐され、前記第１の光は反射ミラーを介して前記画像を読み取るための画像読み取り手段に導かれ、前記第２の光は前記読み取った画像を感光材料に露光するための露光手段に導かれる。
【００１９】
また、好ましくは、前記第１の光は、前記ハーフミラーで分岐された後、光ファイバー部材を介して前記画像読み取り手段に導かれる。
【００２０】
また、好ましくは、前記第１の光は、前記ハーフミラーで分岐された後、複数の凸レンズと凹レンズから構成されるレンズ群を介して前記画像読み取り手段に導かれる。
【００２１】
また、好ましくは、前記画像読み取り手段は、前記第１の光を拡散させて前記フィルムに均一に当てる拡散部と、前記フィルムを透過した画像をズームレンズを介して取り込む撮像部とを有し、前記露光手段は、前記第２の光を少なくとも３色に分解するフィルタと、前記分解された各色ごとの光を用いて前記撮像部により取り込まれた画像を映し出す画像表示部と、当該映し出された画像をズームレンズを介して前記感光材料に露光する露光部とを有する。
【００２２】
また、好ましくは、前記光ファイバー部材は、複数の光ファイバーの束からなり、前記第１の光を前記拡散部に導くために当該拡散部の口径に合わせて束が拡径されている。
【００２３】
また、好ましくは、前記フィルタは各色ごとのフィルタが同一面上に所定間隔で円盤状に配列され部材で形成され、各色のフィルタへの切り換えを回転により行う単一の駆動手段を備える。
【００２４】
【発明の実施の形態】
以下に、本発明の実施の形態について、添付図面を参照して詳細に説明する。
【００２５】
尚、以下に説明する実施の形態は、本発明の実現手段としての一例であり、本発明は、その趣旨を逸脱しない範囲で下記実施形態を修正又は変形したものに適用可能である。
［第１の実施形態］
図１は本発明に係る第１の実施形態の画像処理装置の全体構成を示す図である。
【００２６】
図１に示すように、第１の実施形態の画像処理装置１０は、筐体１１内に単一の光源ユニット１０２（ランプ光源やＬＥＤ白色光源）と、フィルム（例えば、ネガティブフィルム）画像を読み取るスキャナユニット１０１と、このスキャナユニット１０１で読み取られた画像を印画紙などの感光材料２０６に露光する露光ユニット２０１とを備える。
【００２７】
光源ユニット１０２は、ランプ光源やＬＥＤ白色光源などの光源１０２ａと反射鏡１０２ｂとを備える。
【００２８】
この光源ユニット１０２から発光した光はハーフミラー１２１を反射する第１の光Ｂ１とハーフミラー１２１を透過する第２の光Ｂ２に分岐される。ハーフミラー１２１で反射した第１の光Ｂ１はハーフミラー１２１を透過する第２の光Ｂ２に対して略直角に水平方向に反射し、その光路途中に設けられた反射ミラー１２２で再び略垂直上方に反射されてスキャナユニット１０１に導かれる。
【００２９】
一方、ハーフミラー１２１を透過した第２の光Ｂ２は露光ユニット２０１に導かれる。
【００３０】
上記スキャナユニット１０１は、フィルム１０６をフィルム搬送ローラ１０７によりスキャンさせながら上記第１の光Ｂ１を透過させてフィルム画像をＣＣＤなどの撮像部１０３により読み取る。また、スキャナユニット１０１は、フィルム画像を読み取る本スキャンの前に、フィルム１０６を予備的にスキャンさせてフィルム画像を読み取ることによりフィルムごとの色の違いを均一化するなどの補正を行うための予備スキャンユニット１０８を備える。
【００３１】
また、上記露光ユニット２０１は、上記スキャナユニット１０１により読み取られたフィルム画像を第２の光Ｂ２を用いてＬＣＤなどの画像表示部２０４に映し出し感光材料２０６に露光する。
【００３２】
詳しくは、上記スキャナユニット１０１は、上記第１の光Ｂ１を拡散させてフィルム１０６に均一に当てる箱状の拡散部１０５ａ及び拡散板１０５ｂとを有し、撮像部１０３はフィルム１０６を透過した光をズームレンズ１０４を介して最大の画素数でＣＣＤなどで受光し、ＣＣＤで光電変換してデジタル画像データとして取り込む。
【００３３】
また、露光ユニット２０１は、上記第２の光Ｂ２をＲ（レッド）、Ｇ（グリーン）、Ｂ（ブルー）の少なくとも３色に分解する各色ごとに設けられたフィルタ２０３と、上記３色に分解された光を拡散させて画像表示部２０４に均一に当てる箱状の拡散部２１２ａ及び拡散板２１２ｂと、前記３色に分解された各色ごとの光を用いて前記撮像部１０３により取り込まれたデジタル画像データを映し出す画像表示部２０４とを有し、当該画像表示部２０４に映し出された画像をズームレンズ２０５を介して印画紙などの感光材料２０６に露光する。
【００３４】
上記各色ごとに設けられた少なくとも３枚のフィルタ２０３は、不図示の駆動機構により各色のフィルタごとに並進運動するように駆動され、これら各色フィルタの第２の光Ｂ２の光路上への出没又は退避が制御される。
【００３５】
また、上記露光ユニット２０１は、長尺の感光材料２０６をロール状に遮光して収納する上下２段に配置されたペーパマガジン２０７ａ，２０７ｂから上記感光材料２０６を自動的に露光台２０８の露光面に送り出すローラや当該ローラの駆動モータなどからなる感光材料送り機構２０９と、この感光材料送り機構２０９により搬送台２０８に送り出された感光材料２０６を所定長さで裁断するカッター２１０と、露光台２０８の露光面で露光（焼き付け）された感光材料２０６を次工程の現像処理装置（不図示）に搬送する搬送装置２１１と備える。
【００３６】
また、上段のペーパマガジン２０７ａから略水平に送り出された感光材料２０６は、上流側ターン送り機構２２１により感光材料２０６の送り方向を水平から略垂直下方に曲げられて下方に設けられた感光材料送り機構２０９のローラまで搬送される。
【００３７】
また、露光が終了した感光材料２０６は、裏面印刷や振り分け機能を併せ持つ下流側ターン送り機構２２２により感光材料２０６の送り方向を水平から略垂直上方に曲げられて現像処理装置に搬送される。
【００３８】
その他の構成として、装置に対して各種設定を行う操作画面２２５や、スキャナユニット１０１で読み取られたデジタル画像データに所定の画像処理を施すと共に、画像処理されたデジタル画像データを画像表示部２０４に映し出すために露光ユニット２０１に送出する画像処理ユニット２２３と、この画像データをフレキシブルディスクなどの記憶媒体に記憶させると共に、当該記憶媒体に記憶した画像データを読み出す記憶ユニット２２４などが設けられている。
【００３９】
更に、筐体１１には、筐体１１内に冷却用エアを通気させるための吸気口２２６及び電動ファン２２７が設けられ、電動ファン２２７を回転駆動することで吸気口２２６から電動ファン２２７に向けて冷却用エアが流動し、筐体１１内の光源ユニット１０２などの発熱体を冷却する。この構成により、熱によってＬＣＤなどに発生する濃度変化を低減することができる。
【００４０】
尚、上記光源ユニット１０２としてランプ光源やＬＥＤ白色光源の他に、レーザ光源や白色以外のＬＥＤ光源が用いられ、また、上記画像表示部２０４としてＬＣＤの他にＣＲＴなども用いられる。
【００４１】
上記構成によれば、単一の光源を持つ光源ユニット１０２から発光した光をハーフミラー１２１を用いて第１の光Ｂ１と第２の光Ｂ２に分岐させ、第１の光Ｂ１を用いて画像の読み取りを行い、第２の光Ｂ２を用いて露光を行うことができるようになるため、スキャナユニット１０１と露光ユニット２０１の光源を共通化して省スペース化できると共に、ネットワークケーブルや電源ケーブルなどが不要となるため装置を小型化でき、ユーザの利便性も向上するという効果がある。
【００４２】
また、ハーフミラー１２１と反射ミラー１２２のみで単一の光源ユニット１０２から発光した光をスキャナユニット１０１と露光ユニット２０１の夫々に伝達することができるため、露光光源として用いられていたランプ光源やＬＥＤ白色光源などが不要となり、コストダウンを図ることができる。
【００４３】
図２（ａ）は第１の実施形態の画像処理装置の変形例を示し、反射ミラー１２２の代りに、ハーフミラー１２１で反射した第１の光Ｂ１を光ファイバー部材１１１を用いてスキャナユニット１０１に導く構成としている。
【００４４】
上記光ファイバー部材１１１は、ハーフミラー１２１で反射した第１の光Ｂ１を収束させる収束レンズ１１２と、この収束レンズ１１２で収束された光を拡散部１１５ａ及び拡散板１１５ｂに導く複数の光ファイバー１１３の束からなる導光部材１１４と、第１の光Ｂ１を拡散させてフィルム１０６に均一に当てる箱状の拡散部１１５ａ及び拡散板１１５ｂとを有する。
【００４５】
その他、第１の実施形態と同一の機能を有する構成については図１と同一の番号を付して説明を省略する。
【００４６】
上記導光部材１１４は、図２（ｂ）に示すように、複数の光ファイバー１１３の束を拡散部１１５ａ及び拡散板１１５ｂの口径に合わせて均一に広げるために逆円錐状に形成されている。
【００４７】
更に、上記光ファイバー部材１１１の代りに、図３に示すレンズ群１３１を用いてもよい。
【００４８】
このレンズ群１３１は、複数の凸レンズ１３１ａと複数の凹レンズ１３１ｂとがハーフミラー１２１と反射ミラー１２２との間の第１の光Ｂ１の光路上に交互に配列されている。
【００４９】
上記構成によれば、光源ユニットを共通化しても、スキャナユニット１０１及び露光ユニット２０１の夫々に光を伝達する手段として光ファイバー部材１１１やレンズ群１３１を用いることにより、収納スペースにフレキシブルに対応でき、省スペース化を図ることができる。
［第２の実施形態］
図４（ａ）は本発明に係る第２の実施形態の画像処理装置の全体構成を示す概略図である。
【００５０】
図５に示すように、第２の実施形態の画像処理装置は、単一の光源ユニット１０２からから発光した光が第１の反射ミラー１４１により略直角に水平方向に反射され、第１の反射ミラー１４１で反射した光がハーフミラー１２１で第１の光Ｂ３と第２の光Ｂ４に分岐される。
【００５１】
ハーフミラー１２１を透過する第１の光Ｂ３はその光路途中に設けられた第２の反射ミラー１２２で再び略垂直に反射されて画像を読み取るためのスキャナユニット１０１に導かれる。
【００５２】
また、ハーフミラー１２１で反射した第２の光Ｂ４はハーフミラー１２１を透過する第１の光Ｂ３に対して略直角に垂直方向に反射して露光ユニット２０１に導かれる。
【００５３】
また、露光ユニット２０１におけるハーフミラー１２１の後段であって拡散部２１２の前段には、上記第２の光Ｂ４をＲ（レッド）、Ｇ（グリーン）、Ｂ（ブルー）の少なくとも３色に分解する各色ごとのフィルタ１４３が設けられている。
【００５４】
このフィルタ１４３は、図４（ｂ）に示すように、Ｒ（レッド）のフィルタ１４４Ｒ、Ｇ（グリーン）のフィルタ１４４Ｇ、Ｂ（ブルー）のフィルタ１４４Ｂの各々が扇状に等間隔（例えば、１２０°間隔）に同一面上に配列された円盤状に形成されている。
【００５５】
上記フィルタ１４３は、筐体１１内の拡散部１２１近傍に設けられた電動モータ１４２の回転軸１４５に固定され、上記第２の光Ｂ４をＲ（レッド）、Ｇ（グリーン）、Ｂ（ブルー）に色分解するために各色ごとのフィルタ１４４Ｒ、１４４Ｇ、１４４Ｂに順次切り換えが可能とされている。
【００５６】
尚、上記図２で適用した光ファイバー部材１１１、或いは図３で適用したレンズ群１３１は第２の実施形態の画像処理装置にも適用できる。
【００５７】
その他、第１の実施形態と同一の機能を有する構成については図１と同一の番号を付して説明を省略する。
【００５８】
上記構成によれば、フィルタを各色ごとに切り換える際に必要であった駆動機構を共通化できるため、第１の実施形態の効果に加えて、更に省スペース化やコストダウンを図ることができる。
【００５９】
【発明の効果】
以上説明したように、本発明によれば、画像の読み取りと露光とを単一の光源で行え、装置を小型化し、且つ安価にできる。また、これらのハーフミラーは光源からの熱を緩和するので、ＬＣＤ等の表示部へ熱を伝わりにくくする効果を有することとなる。
【図面の簡単な説明】
【図１】
本発明に係る第１の実施形態の画像処理装置の全体構成を示す図である。
【図２】
（ａ）は第１の実施形態の画像処理装置の変形例を示す図であり、（ｂ）は図２（ａ）の変形例における光ファイバー部材の詳細構成を示す図である。
【図３】
第１の実施形態の画像処理装置の他の変形例を示す図である。
【図４】
（ａ）は本発明に係る第２の実施形態の画像処理装置の全体構成を示す図であり、（ｂ）は第２の実施形態の画像処理装置に設けられたフィルタの構成を示す図である。
【図５】
従来のスキャナ装置と露光装置とが別体にされた構成を例示する概略図である。
【図６】
従来のスキャナ装置と露光装置とを一体化した構成を例示する概略図である。
【符号の説明】
１０　画像処理装置
１１　筐体
１０１　スキャナユニット
１０２　光源ユニット
１０２ａ　光源
１０２ｂ　反射鏡
１０３　撮像部（ＣＣＤ）
１０４　ズームレンズ
１０５ａ　拡散部
１０５ｂ　拡散板
１０６　フィルム
１０７　フィルム搬送ローラ
１０８　予備スキャンユニット
１１１　光ファイバー部材
１１２　収束レンズ
１１３　光ファイバー
１１４　導光部材
１２１　ハーフミラー
１２２　反射ミラー
１３１　レンズ群
１３１ａ　凸レンズ
１３１ｂ　凹レンズ
２０１　露光ユニット
２０３　フィルタ
２０４　画像表示部（ＬＣＤ）
２０５　ズームレンズ
２０６　感光材料
２０７ａ，２０７ｂ　ペーパマガジン
２０８　露光台
２０９　感光材料送り機構
２１０　カッター
２１１　搬送装置
２１２ａ　拡散部
２１２ｂ　拡散板
２２３　画像処理ユニット
２２４　記憶ユニット
２２５　操作画面
２２６　吸気口
２２７　電動ファン
【図１】
2004061657.tif 000003
【図２】
2004061657.tif 000004
【図３】
2004061657.tif 000005
【図４】
2004061657.tif 000006
【図５】
2004061657.tif 000007
【図６】
2004061657.tif 000008